(57)【要約】      （修正有）【課題】異物除去装置において粉体と異物の混在する移送体内の前記異物の除去を効果的に行う簡便構造の尖頭型バーマグネットを提供する。【解決手段】尖頭型バーマグネット１００はマグネット単体１と極板２と連結シャフト３とエンドプラグ４及び本体チューブ５等との一体構造のものからなり、その構造形態としては従来のバーマグネットと同一のものであるが、すべての構成部材の輪郭が尖頭部８を有する膨出部７を形成するものからなる。この尖頭部８の存在により移送体１５の粉体１６が尖頭部８に堆積せずに落下し、尖頭部は常に一定の磁力を有するものからなり、鉄片１７を磁着することができる。【選択図】図５
0003132500.tif 000002
【実用新案登録請求の範囲】
【請求項１】
交互に連設され、同一内径中心孔を有するマグネット単体及び極板と、前記中心孔に挿入され両端にねじ部を形成する連結シャフトと、前記ねじ部に螺着して前記マグネット単体及び極板を一体構造に固定する左右のエンドプラグと、前記マグネット単体及び極板の全体を被包するチューブとを設けるバーマグネットであって、前記マグネット単体，極板，エンドプラグ及びチューブが同一の外輪郭及び内輪郭を有するものからなり、この外輪郭及び内輪郭が尖頭型状の膨出部を有するものからなることを特徴とする尖頭型バーマグネット。
【考案の詳細な説明】
【技術分野】
【０００１】
本考案は、バーマグネットに係り、特に端部が尖頭部を有する形状のものからなり、移送体内に混在する鉄片等の異物の磁着率を向上し得る尖頭型バーマグネットに関する。
【背景技術】
【０００２】
バーマグネットは従来より異物除去装置等に多く使用され、粉体と鉄片等の異物とが混在する移送体の鉄片等の異物を効果的に除去する部材として広く使用されている。その形状としては各種のものがあるが、例えば、「特許文献１」の如きものが挙げられる。
【特許文献１】特開平８−１０６４２号（図１）
【考案の開示】
【考案が解決しようとする課題】
【０００３】
「特許文献１」の「特開平８−１０６４２号」の「バーマグネット及びマグネットフィルタ」におけるバーマグネット（１）は後に説明する本考案のバーマグネットと同じく、マグネット単体（３）と極板（４）とを交互に連接し、この中心孔に挿入される連結シャフト（５）を左右端のエンドプラグ（６），（６）により螺着して全体を一体的構造に固定する形態のものからなる。また、マグネット単体（３）や極板（４）は本体チューブ（１３）により被包される。なお、このバーマグネット（１）は図示のようにその中間部を支持フレーム（１１）に固定するものであるが、この支持フレーム（１１）のないものも当然存在している。
以上の構造のバーマグネットの場合、その（図３）や本考案において明記されている図６（ａ），（ｂ）に示すようにマグネット単体や極板等の外輪郭形状が円型のものからなる。
【０００４】
図７は異物除去装置における従来の丸型バーマグネット（１）による移送体１５の異物除去状態を示すものである。移送体１５としては、例えば、粉体１６と鉄片１７からなり、上方側から粉体１６と鉄片１７とが混在した状態で落下供給される。この移送体１５がバーマグネット（１）に当接すると当初は鉄片１７がバーマグネット（１）の表面に磁着するが、粉体１６それ自体もバーマグネット（１）の表面に積重されて堆積される。そのため、バーマグネット（１）の磁力が堆積されている粉体１６によって弱まり、鉄片１７を磁着する磁着力が低下する。そのため、異物である鉄片１７が磁着されずにそのまま使用側に送り込まれる問題点が生ずる。この傾向はバーマグネット（１）の大きさや磁力程度に関係なく行われる。
【０００５】
本発明は、以上の問題点を解決すべく考案されたものであり、簡便に形成され、異物除去が確実にできる尖頭型バーマグネットを提供することを目的とする。
【課題を解決するための手段】
【０００６】
本考案は、以上の目的を達成するために、請求項１の考案は、交互に連設され、同一内径中心孔を有するマグネット単体及び極板と、前記中心孔に挿入され両端にねじ部を形成する連結シャフトと、前記ねじ部に螺着して前記マグネット単体及び極板を一体構造に固定する左右のエンドプラグと、前記マグネット単体及び極板の全体を被包するチューブとを設けるバーマグネットであって、前記マグネット単体，極板，エンドプラグ及びチューブが同一の外輪郭及び内輪郭を有するものからなり、この外輪郭及び内輪郭が尖頭型状の膨出部を有するものからなることを特徴とする。
【考案の効果】
【０００７】
本考案の請求項１の尖頭型バーマグネットによれば、バーマグネットの全体構造としては従来のものに類似しているが、そのマグネット単体部極板等の外輪郭が円形のものでなく尖頭形状の膨出部を有するものからなる。そのため、移送体の粉体はこの膨出部に沿って下方に送られ、外面に堆積することが殆ど生じない。よってバーマグネットは常に一定の磁力を保持し異物である鉄片等が確実に磁着され、異物除去効果の大幅な向上が図れる。
【考案を実施するための最良の形態】
【０００８】
以下、本考案の尖頭型バーマグネットの実施の形態を図面を参照して詳述する。
本考案の尖頭型バーマグネット１００は、図１に示すように大別してマグネット単体１と、極板２と、連結シャフト３と、右エンドプラグ４及び左エンドプラグ４ａと、本体チューブ５等とからなり、右エンドプラグ４にはねじプラグ９が設けられている。
【０００９】
図１に示すように、マグネット単体１と極板２とは交互に連設して配置され、マグネット単体１のＮ，Ｓの磁極方向は図示のように配列される。連結シャフト３はマグネット単体１や極板の中心孔を貫通して左右にそのねじ部３ａ，３ｂをはみ出して配置される。右エンドプラグ４は連結シャフト３のねじ部３ａに螺合するものであり、左エンドプラグ４ａは連結シャフト３のねじ部３ｂに螺合するものからなる。この螺合によってマグネット単体１や極板２の全体が一体的構造に固定される。また、マグネット単体１や極板２及び左右のエンドプラグ４，４ａは本体チューブ５により被包され、本体チューブ５の両端は左右のエンドプラグ４，４ａのフランジ部に溶着される。なお、以上の構造は従来のものと同様であり、詳細な説明は省略する。
【００１０】
図２の（ａ），（ｂ），（ｃ），（ｄ）は図１のＡ−Ａ断面，Ｂ−Ｂ断面，Ｃ−Ｃ断面及びＤ−Ｄ断面を示すものである。本実施例では輪郭形状としてベース円６から膨出部７が円滑に連接する形状のものからなり膨出部７の尖端には尖頭部８が形成される。即ち、マグネット単体１と極板２とエンドプラグ４，４ａの外輪郭は以上の形状の同一外輪郭形状のものからなり、本体チューブ５はその内輪郭が以上の形状のものからなる。勿論、左右エンドプラグ４，４ａの前記のフランジ部は本体チューブ５の外輪郭と同一の輪郭のものからなる。
【００１１】
次に図１により右エンドプラグ４の部分の詳細構造を説明する。前記のようにバーマグネットが円形の場合はエンドプラグの構造は連結シャフト３のねじ部３ａ，３ｂに螺合する雌ねじ部を形成するものでよいが、本考案のように非対象の輪郭を有するものではマグネット単体１や極板２及びエンドプラグ４，４ａの輪郭を合致する必要があるため特別な処置が必要となる。この処置の１つとして図１等に示すねじプラグ９が用いられる。このねじプラグ９は右エンドプラグ４に枢支される軸部１０とこれに一体的に連結されるねじ廻し用頭部１１からなり、軸部１０には連結シャフト３のねじ部３ａに螺合する雌ねじ部１２が形成される。
以上の構造により、連結シャフト３のねじ部３ｂを左エンドプラグ４ａに螺着した後にねじプラグ９により右エンドプラグ４を固定することにより全体の輪郭を合致された状態で全体を一体的構造に組み上げることができる。
【００１２】
図３はねじプラグの別の実施例を示すものである。このねじプラグ９ａは尖頭型バーマグネット１００を異物除去装置の固定壁１８に片持ち支持する機能を有するものであり、図１に示したねじプラグ９のねじ廻し用頭部１１にねじ軸１３を一体的に伸延して連結したものからなる。このねじ軸１３を固定壁１８に貫通させねじ止め具１４により螺着することにより尖頭型バーマグネット１００は固定壁１８に片持ち支持される。
【００１３】
以上の尖頭型バーマグネット１００は図２等に示すような輪郭形状を示すものであるが輪郭形状としてはこれに限定するものではなく、図４に示すように、卵状（ａ），「なみだ状，水滴状，しずく状」（ｂ）の如きものが採用される。勿論これ等に限定するものではない。
【００１４】
図５は、本考案の尖頭型バーマグネット１００を異物除去装置に配置した場合の異物除去の状態を示すものである。図７の場合と同様に、移送体１５は粉体１６と異物の１つである鉄片１７を混在したものからなり、尖頭型バーマグネット１００に向かって落下供給される。尖頭型バーマグネット１００はその尖頭部８を移送体１５側に向けて配置される。この状態で移送体１５が尖頭型バーマグネット１００に当ると、尖頭部８の存在により粉体１６は尖頭部８に堆積せず膨出部７のカーブに沿って落下する。このため尖頭部８の磁力は常に一定の状態の強力のまま保持されるため、鉄片１７が尖頭部８や膨出部７に磁着する。以上により異物除去が確実に行われる。即ち、本考案は、マグネット単体１等の輪郭を尖頭形状にすることにより異物除去の効果を大幅に向上することができる。また、マグネット単体１等を尖頭形状にすることはそれ程難しいものではなく、比較的簡単に、かつ安価に実施することができる。
【００１５】
本考案は、以上の説明のものからなるが、勿論、以上の構造に限定するものではなく、同一技術的範疇のものが適用されることは勿論である。
【産業上の利用の可能性】
【００１６】
本考案の尖頭型バーマグネット１００は異物除去装置に主として適用されるが、磁着を必要とするその他の装置にも適用され、その利用範囲は広い。
【図面の簡単な説明】
【００１７】
【図１】本考案の尖頭型バーマグネットの全体構造を示す軸断面図。
【図２】図１のＡ−Ａ線，Ｂ−Ｂ線，Ｃ−Ｃ線及びＤ−Ｄ線の断面図（ａ），（ｂ），（ｃ），（ｄ）。
【図３】ねじプラグの詳細構造を示す部分軸断面図。
【図４】マグネット単体等の各種の輪郭形状を示す断面図。
【図５】本考案の尖頭型バーマグネットを異物除去装置に適用した場合の異物除去の状態を示す模式図。
【図６】従来の円形のバーマグネットの概要構造を示す軸断面図（ａ）及びそのＥ−Ｅ線断面図（ｂ）。
【図７】従来の円形のバーマグネットを異物除去装置に適用した場合の異物除去の状態を示す模式図。
【符号の説明】
【００１８】
１      マグネット単体
２      極板
３      連結シャフト
３ａ    ねじ部（連結シャフト）
３ｂ    ねじ部（連結シャフト）
４      右エンドプラグ
４ａ    左エンドプラグ
５      本体チューブ
６      ベース円
７      膨出部
８      尖頭部
９      ねじプラグ
９ａ    ねじプラグ
１０    軸部
１１    ねじ廻し用頭部
１２    雌ねじ部
１３    ねじ軸
１４    ねじ止め具
１５    移送体
１６    粉体
１７    鉄片
１８    固定壁
１００  尖頭型バーマグネット
【図１】
0003132500.tif 000003
【図２】
0003132500.tif 000004
【図３】
0003132500.tif 000005
【図４】
0003132500.tif 000006
【図５】
0003132500.tif 000007
【図６】
0003132500.tif 000008
【図７】
0003132500.tif 000009